(57)【要約】  【課題】  プリントの仕様に応じて、カットマークを付けるか否かを任意選択することが出来て、プリントのカット作業などの軽減が図れる画像処理装置を提供する。  【解決手段】  メインコントローラに画像データを編集処理するための編集処理機能と、編集処理機能により編集処理された画像データをプリントデータとしてプリント出力装置に供給するためのプリントデータ供給機能とが備えられた画像処理装置において、前記プリントデータにプリントの切断位置を示すカットマークデータを付加するか否かを選択指示するためのカットマーク選択指示機能と、編集処理機能で編集される画像データの隣接する画像間に隙間を開けずに配列させる画像配列調整機能が更にメインコントローラに備えられている。  【選択図】  図３
2006129136.tif 000002
【特許請求の範囲】
【請求項１】
画像データを編集処理するための編集処理手段と、編集処理手段により編集処理された画像データをプリントデータとしてプリント出力装置に供給するためのプリントデータ供給手段とが備えられた画像処理装置において、前記プリントデータにプリントの切断位置を示すカットマークデータを付加するか否かを選択指示するためのカットマーク選択指示手段が備えられていることを特徴とする画像処理装置。
【請求項２】
編集処理手段で編集される画像データの隣接する画像間に隙間を開けずに配列させる画像配列調整手段が設けられ、カットマーク選択指示手段によりカットマークデータの未付加が決定された際に、画像配列調整手段を介して、編集処理手段で編集される画像データの隣接する画像間に隙間を開けずに画像を配列させるようにしていることを特徴とする請求項１に記載の画像処理装置。
【発明の詳細な説明】
【技術分野】
【０００１】
本発明は、主として証明写真や名刺などの作成に際して、1枚のプリント用紙に複数の画像をプリント処理可能とした画像処理装置に関する。
【背景技術】
【０００２】
一般にこの種の画像処理装置は、画像編集処理機と、この画像編集処理機から出力されるプリントデータに基づいてプリント用紙に画像をプリント処理するためのプリント出力機とから構成され、画像処理機のコントローラには、画像データを編集処理するための編集処理機能と、編集処理機能により編集処理された画像データをプリントデータとしてプリント出力装置に供給するためのプリントデータ供給機能と、プリントデータにプリントの切断位置を示すためのカットマークデータを付加するためのカットマーク付加機能とが構築されている。
【０００３】
またプリント出力装置は、印画紙に画像を焼き付けるためのプリンターと、プリンターで画像が焼き付られた印画紙を主として現像処理するためのプロセッサとが搭載されている。
【０００４】
そして以上の画像処理装置では、画像編集処理機を構成するコントローラの編集処理機能により、画像データを編集処理して、その画像データをプリントデータ供給機能により、プリントデータとして、プリント出力装置に送る一方、プリント出力装置では、プリントデータに基づいて、プリンターにより印画紙に画像を焼付処理した上で、その印画紙を搬送機構によりプロセッサに送り込み、プロセッサでは、送り込まれた印画紙をプロセッサ側の搬送機構により搬送しながら現像処理した後、乾燥処理してプリントを仕上げるようにしている。
【０００５】
また以上の画像処理装置では、主として証明写真や名刺などの作成に際しては、プリント用紙に対して複数の画像を互いに所定間隔離して配置されるようにプリントデータを作成すると共に、カットマーク付加機能により、プリントデータにプリントの切断位置を示すためのカットマークデータを付加することで、プリント出力装置により、図４または図６に示すごとく、複数の画像と共にカットマークをプリント用紙にプリントするようにしているのであって、出来上がったプリントはカットマークに基づいてカッターで切断して、証明写真や名刺などとして利用するようにしている。
（特許文献１参照）
ところで、この種の画像処理装置で作成される例えば図６に示す証明写真のプリントなどにあっては、プリントに形成される複数の画像がすべて同一サイズである時のように、プリントにカットマークを必要としない場合もあるにもかかわらず、前述の従来の画像処理装置では、名刺などの作成に際しても、カットマークがプリントに必然的に付けられてしまう。
【０００６】
そのため、図６に示すような証明写真などでは、例えば隣接する画像を分割するに際して、その画像間に付けられているカットマークを残さないようにするために、そのカットマーク部分を必ずダブルカットせざるを得ず、面倒である。
【０００７】
また更に図４に示すようなカレンダー仕様のプリントでも、このプリントを所定サイズにカットするためのカットマークが必然的に付けられることから、例えば写真フレーム内にプリントをそのまま入れて保管する場合のようにプリントをカットする必要がない時でも、カットマークが見えないようにするためにプリントに付けられたカットマークに沿ってプリントをカットせざるを得ず、全体として、作業性が悪いものである。
【特許文献１】特開２０００−３５６８０９号
【発明の開示】
【発明が解決しようとする課題】
【０００８】
本発明は以上の実情に鑑みて開発したものであって、目的とするところは、例えば、プリントの仕様に応じて、カットマークを付けるか否かを任意選択することが出来て、プリントのカット作業などの軽減が図れる画像処理装置を提供することにある。
【課題を解決するための手段】
【０００９】
以上の目的を達成するために、請求項１に記載の発明は、画像データを編集処理するための編集処理手段と、編集処理手段により編集処理された画像データをプリントデータとしてプリント出力装置に供給するためのプリントデータ供給手段とが備えられた画像処理装置において、前記プリントデータにプリントの切断位置を示すカットマークデータを付加するか否かを選択指示するためのカットマーク選択指示手段が備えられていることを特徴とするものである。
【００１０】
請求項１に記載の発明のプリント処理装置では、プリントの仕様に応じて、カットマークが必要でない例えば名刺などの作成プリントに対してカットマークを省略してプリント処理することができる。
【００１１】
また請求項２に記載の発明は、請求項１に記載の画像処理装置において、編集処理手段で編集される画像データの隣接する画像間に隙間を開けずに配列させる画像配列調整手段が設けられ、カットマーク選択指示手段によりカットマークデータの未付加が決定された際に、画像配列調整手段を介して、編集処理手段で編集される画像データの隣接する画像間に隙間を開けずに画像を配列させるようにしていることを特徴とするものである。
【００１２】
請求項２に記載の発明のプリント処理装置では、カットマークが付けられていない例えば名刺などのプリントを作成した場合、隣接する名刺画像間をシングルカットするだけでよい。
【発明の効果】
【００１３】
請求項１に記載の発明によれば、プリントの仕様に応じて、カットマークが必要でない作成プリントに対して、任意カットマークを省略してプリント処理することができるので、プリントのカット作業などの軽減を図ることが出来る。
【００１４】
また請求項２に記載の発明によれば、請求項１に記載の発明の効果に加え、カットマークが付けられていない例えば名刺などのプリントを作成した場合、隣接する名刺画像間をシングルカットするだけでよいので、従来のようにダブルカットしなければならないものに比べてカット作業が少なくなって、作業効率が良くなる。
【発明を実施するための最良の形態】
【００１５】
図１に概略的に示す画像処理装置は、基本的には、画像編集処理部１と、
画像編集処理部１から出力されるプリントデータに基づいてプリント用紙の一例である印画紙に画像をプリント処理するためのプリント出力部２とから構成されている。
【００１６】
画像編集処理部１は、現像済フィルムをセットするためのフィルムマスクユニット１１、このフィルムマスクユニット１１にセットされた現像済フィルムのコマ画像を読み取るためのスキャナ１２、記録メディアに記録した画像データを読み取るための読み取り装置１３、スキャナ１２または読み取り装置１３で読み取った画像データに主として各種の画像編集処理を施すための画像処理装置１４とが搭載されている。
【００１７】
画像編集処理部１に搭載されているスキャナ１２は、現像済フィルムをフィルムマスクユニット１１にセットすることにより、光源ユニット１０からの光を、フィルムマスクユニット１１にセットされた現像済フィルムに照射して各コマの画像を順次読み取って画像編集装置１４に出力し、また画像処理装置１４では、スキャナ１２または読み取り装置１３読み取られた画像データに各種画像処理を施すようにしている。
【００１８】
画像処理装置１４は、画像処理ソフトウエア等がインストールされたコンピュータから成るメインコントローラ１５と、メインコントローラ１５に各種情報を入力するためのキーボード１６ａ及びマウス１６ｂと、各種情報を表示するためのモニター１７とから構成されている。
【００１９】
メインコントローラ１５を構成するコンピュータのプログラム上には、
スキャナ１２若しくは読み取り装置１３により読み取られた画像データを編集処理するための編集処理手段としての編集処理機能１５ａと、
この編集処理機能１５ａにより編集処理された画像データをプリントデータとしてプリント出力部２の後記するサブコントローラ３０に供給するためのプリントデータ供給手段としてのプリントデータ供給機能１５ｂと、
プリントデータにカットマークデータを付加するためのカットマーク付加機能１５ｃと、
プリントデータにプリントの切断位置を示すカットマークデータをカットマーク付加機能１５ｃを介して付加するか否かを選択指示するためのカットマーク選択指示手段としてのカットマーク選択指示機能１５ｄと、
編集処理機能１５ａで編集される画像データの隣接する画像間に隙間を開けずに画像を配列させる画像配列調整手段としての画像配列調整機能１５ｅと、
プリントされるカットマークの色彩を設定するためのカットマーク色彩設定機能１５ｆとが構築されている。
【００２０】
編集処理機能１５ａでは、キーボード１６ａまたはマウス１６ｂにより入力されるプリント仕様やプリントサイズなどの各種情報に基づいて、スキャナ１２若しくは読み取り装置１３により読み取られた画像データを適宜編集処理するのであって、プリント仕様としては、通常写真の他に、図６に示すような証明写真や、図４に示すようなカレンダー仕様の写真や、あるいは名刺仕様の写真のプリント編集が行なえるようにしている。
【００２１】
カットマーク選択指示機能１５ｄでは、キーボード１６ａまたはマウス１６ｂの操作により選択される「カットマークの付加」若しくは「カットマークの未付加」の選択結果を決定指示するようにしている。
【００２２】
画像配列調整機能１５ｅでは、編集処理機能１５ａによる証明写真または名刺仕様の写真のプリント編集時において、カットマーク選択指示機能１５ｄによりカットマークデータの未付加が決定された場合に、編集処理機能１５ａで編集される画像データにおいて隣接する画像を画像間に隙間を開けずに配列させるようにしている。
【００２３】
カットマーク色彩設定機能１５ｆでは、オペレータによるキーボード１６ａ若しくはマウス１６ｂの操作により、選択された色彩にカットマークの色彩を設定するようにしている。
【００２４】
プリント出力部２は、プリントデータ供給機能１５ｂを介して供給されるプリントデータにより、プリント用紙の一例である印画紙に画像を焼き付けるためのプリンター３と、プリンター３で画像が焼き付けられた印画紙を現像するためのプロセッサ４とから構成されている。
【００２５】
プリンター３には、画像処理装置１４から出力されたプリントデータなどを入力するためのサブコントローラ３０と、ロール状に巻かれた印画紙を充填したペーパーマガジン３１ａ・３１ｂと、ペーパーマガジン３１ａ・３１ｂから送り出される印画紙を搬送するための搬送機構３２と、搬送機構３２で搬送される印画紙Ｐにサブコントローラ３０を介して画像データを露光するための露光機構３３とが搭載されている。
【００２６】
そしてプリンター３では、画像処理装置１４のメインコントローラ２５から出力されるプリントデータがサブコントローラ３０に入力されるに伴い、このサブコントローラ３０で露光用データが生成されて、露光機構３３に出力されるようにしている。
【００２７】
尚、露光機構３３の方式としては、ＰＬＺＴシャッター方式やレーザービーム方式、液晶シャッター方式、蛍光ビーム方式等が知られており、仕様に応じて任意の方式を採択することが出来る。
【００２８】
プロセッサ４は、プリンター３から搬送されてくる印画紙を現像処理するための現像処理機構４１と、現像処理機構４１で現像処理された印画紙を乾燥するための乾燥処理機構４２と、印画紙を乾燥処理して完成したプリントＰを搬出口４３ａから搬出するための搬出機構４３と、搬出機構４３を介して搬出口４３ａから搬出されるプリントＰを仕分け装置４５に向けて搬送するためのプリント搬送装置４４とが備えられている。
【００２９】
現像処理機構４１は複数の処理槽を備えており、これら処理槽には、現像液、漂白・定着液、安定化液等の各種処理液がそれぞれ個別に貯溜されている。
【００３０】
乾燥処理機構４２は、印画紙を乾燥するためのヒーターを備え、搬送機構（図示せず）で印画紙を搬送させる間にこの印画紙をヒーターによって適宜乾燥するようにしており、乾燥処理機構４２で乾燥されて出来上がったプリントＰは、搬出機構４３により搬出口４３ａからプリント搬出装置４４に搬出されるようになっている。
【００３１】
以上の構成から成る画像処理装置では、スキャナ１２若しくは読み取り装置１３により読み取られた画像データが、所定の処理プログラムとキーボード１６ａまたはマウス１６ｂにより入力されるプリント仕様やプリントサイズなどの各種情報に基づいて、メインコントローラ２５の編集処理機能１５ａなどにより適宜編集処理された後、プリントデータ供給機能１５ｂにより、順次プリントデータとしてプリンターのサブコントローラ３０に出力され、プリンター３により、印画紙Ｐに所定のプリント仕様の画像が焼き付けられるのである。
【００３２】
そしてプリンター３において焼き付け処理が行なわれた印画紙は、プロセッサ４に搬送されて、現像処理と乾燥処理が行なわれて、所望の仕様のプリントＰが仕上げられるのであって、仕上がったプリントＰは、搬出機構４３を介して搬出口４３ａからプリント搬送装置４４に搬出され、このプリント搬送装置４４を介して仕分け装置４５の受け皿に搬送されるのである。
【００３３】
ところで、以上の画像処理装置によるプリント処理に際して、例えば図４又は図５に示すようなカレンダー仕様のプリントＰ−１を作成する場合、画像編集作業時において、キーボード１６ａまたはマウス１６ｂの操作により、カットマーク選択指示機能１５ｄを介してカットマークデータを付加するか否かをプリントデータ毎に設定するのであって、カットマーク選択指示機能１５ｄによりカットマークデータがプリントデータに付加された場合には、図４に示すように、仕上がったプリントＰ−１にカットマークＭが付けられるのに対して、カットマークデータがプリントデータに付加されない場合には、図５に示すように、仕上がったプリントＰ−１にカットマークＭが付けられないのである。
【００３４】
従って、前述のカレンダー仕様のプリントＰ−１を例えば写真フレーム内にそのまま入れて保管する場合には、カットマークデータを付加しないを選択することにより、従来のようにプリントに付けられたカットマークに沿ってプリントをカットするような必要がなくなるのである。、
一方、プリントのカットサイズが所定サイズである例えば図６又は図７に示すような証明写真仕様のプリントＰ−２を作成する場合にあっても、画像編集作業時において、キーボード１６ａまたはマウス１６ｂの操作により、カットマーク選択指示機能１５ｄを介してカットマークデータを付加するか否かをプリントデータ毎に設定するのであって、カットマーク選択指示機能１５ｄによりカットマークデータがプリントデータに付加された場合には、図６に示すように、仕上がったプリントＰ−２には、隣接する画像Ｔ１・Ｔ２間に所定の隙間Ｓが開けられた状態でカットマークＭが付けられるのに対して、カットマークデータがプリントデータに付加されない場合には、図７に示すように、仕上がったプリントＰ−１には、隣接する画像Ｔ１・Ｔ２間に隙間が開けられない状態で、且つカットマークＭが付けられないのである。
【００３５】
従って、例えばプリントに形成される複数の画像がすべて同一サイズである時には、カットマークデータをプリントデータに付加しないをカットマーク選択指示機能１５ｄにより選択指示することで、シングルカットにより、隣接する画像Ｔ１・Ｔ２毎にプリントを分割することが出来て、カット作業の効率が良くなるのである。
【００３６】
以上の実施形態では、印画紙にプリントを行なうようにした画像処理処理装置に本発明を適用したが、これに限定されるものではなく、印画紙以外のプリント用紙にプリントを行なうようにした画像処理装置に本発明を適用してもよい。
【００３７】
また以上の実施形態では、カットマークデータをプリントデータに付加するかしないかをプリント毎に設定するようにしたが、これに限定されるものではなく、１オーダー分のプリント処理に際して、複数    のプリントに対して一括して、カットマークデータをプリントデータに付加するかしないか設定するようにしてもよい。
【図面の簡単な説明】
【００３８】
【図１】本発明にかかる画像処理装置の斜視図。
【図２】同、説明図。
【図３】同、構成図。
【図４】画像処理装置により作成したカレンダー仕様のカットマークが付けられたプリントの正面図。
【図５】画像処理装置により作成したカレンダー仕様のカットマークが省略されたプリントの正面図。
【図６】画像処理装置により作成した証明写真仕様のカットマークが付けられたプリントの正面図。
【図７】画像処理装置により作成した証明写真仕様のカットマークが省略されたプリントの正面図。
【符号の説明】
【００３９】
１      画像編集処理部
１４    画像読取装置
１５    メインコントローラ
１５ａ  編集処理機能
１５ｂ  プリントデータ供給機能
１５ｃ  カットマーク付加機能
１５ｄ  カットマーク選択指示機能
２      プリント出力部
３      プリンター
４      プロセッサ
Ｍ      カットマーク
【図１】
2006129136.tif 000003
【図２】
2006129136.tif 000004
【図３】
2006129136.tif 000005
【図４】
2006129136.tif 000006
【図５】
2006129136.tif 000007
【図６】
2006129136.tif 000008
【図７】
2006129136.tif 000009